(57)【要約】【課題】各種電子機器に用いられる開閉装置に関し、大きな操作荷重が得られ、開閉操作感触や開閉位置の保持が確実なものを提供することを目的とする。【解決手段】コイル状で外径の異なる複数のばね１５と１６を設けると共に、外径の大きなばね１５内に外径の小さなばね１６を配置し、これら複数のばねによって、可動体３を付勢するようにして開閉装置２１を構成することで、限られた寸法形状の範囲内でも大きな操作荷重が得られ、開閉操作感触や開閉位置の保持が確実な開閉装置を得ることができる。【選択図】  図１
2004346992.tif 000002
【特許請求の範囲】
【請求項１】
側面の固定カムが設けられた固定体と、この固定体に対し回転可能に配置されると共に、上記固定カムとの対向面に可動カムが設けられた可動体と、この可動体または上記固定体を付勢し、上記可動カムと上記固定カムを弾接させるコイル状のばねからなり、上記ばねを外径の異なる複数のばねから形成すると共に、外径の大きなばね内に外径の小さなばねを配置した開閉装置。
【請求項２】
複数のばねの巻回方向を異なるものとした請求項１記載の開閉装置。
【発明の詳細な説明】
【０００１】
【発明の属する技術分野】
本発明は、携帯電話やパーソナルコンピュータ等の、各種電子機器に使用される開閉装置に関するものである。
【０００２】
【従来の技術】
近年、携帯電話やパーソナルコンピュータ等の電子機器の小型化や軽量化が進む中、固定筐体に対し可動筐体が開閉可能に装着された、所謂、折畳み式のものが増えており、これらに用いられる開閉装置においても、開閉操作感触や開閉位置の保持の確実なものが求められている。
【０００３】
このような従来の開閉装置について、図３〜図５を用いて説明する。
【０００４】
なお、これらの図面の内、断面図は固定カムと可動カムの開閉を判り易くするため、径方向を拡大して表わしている。
【０００５】
図４は従来の開閉装置の断面図、図５は同分解斜視図であり、同図において、１は左側面に固定部１Ａが形成された略円筒状の固定体で、この右側面外周には突出部２Ａ、及びこの突出部２Ａから左右へ延出する二つの傾斜部２Ｂ，２Ｃから形成された固定カム２が設けられている。
【０００６】
そして、３は同じく略円筒状の可動体で、固定体１に対し開閉方向へ回転可能に配置されると共に、固定カム２との対向面である左側面外周には可動カム４が設けられ、この可動カム４の先端が、略円盤状のカバー５との間にやや撓んだ状態で装着されたコイル状のばね６に付勢されて、固定カム２の傾斜部２Ｂへ弾接している。
【０００７】
また、７は略円柱状の固定軸で、この固定軸７の左端部に固定体１が固着されると共に、右端部は可動体３の中空部やばね６を挿通して、カバー５へ係止されている。
【０００８】
さらに、８は略円筒状の可動ケースで、この可動ケース８左端の通孔８Ａから固定体１の固定部１Ａが回転可能に突出すると共に、外周の溝部８Ｂには可動体３の突起３Ａが挿入され、可動体３が軸線方向へ移動可能に可動ケース８内に収納されている。
【０００９】
そして、可動ケース８右端の開口部をカバー５が覆い、固定体１や可動体３、ばね６等が可動ケース８内に収納されて、開閉装置１０が構成されている。
【００１０】
また、このように構成された開閉装置１０は、例えば、図３の携帯電話の斜視図に示すように、固定体１の固定部１Ａが上面に複数のキーからなる操作部１２Ａやマイクロフォン等の音声入力部１２Ｂが形成された固定筐体１２へ、可動ケース８が、表面にＬＣＤ等の表示部１３Ａやスピーカ等の音声出力部１３Ｂが形成された可動筐体１３へ各々固着され、開閉装置１０によって固定筐体１２に対して可動筐体１３が開閉可能に軸支されて電子機器が構成される。
【００１１】
以上の構成において、図４に示すように、可動カム４の先端が固定カム２下側の傾斜部２Ｂへ弾接した状態では、可動体３がばね６によつて下方向の閉方向へ付勢されているため、可動ケース８が固着された可動筐体１３は、固定筐体１２に対して閉じた状態で保持されている。
【００１２】
そして、この閉状態から、可動筐体１３を手で開くと、可動筐体１３に固着された可動ケース８を介して可動体３が上方向へ回転し、可動カム４先端が固定カム２の突出部２Ａを超えて上側の傾斜部２Ｃへ弾接して、可動体３が上方向の開方向へ付勢されるため、可動筐体１３が開いた状態となる。
【００１３】
つまり、可動筐体１３に固着された可動ケース８を回転して、可動カム４先端を固定カム２の傾斜部２Ｂまたは２Ｃのいずれかへ弾接させ、可動体３をばね６により閉または開方向へ付勢することによって、固定筐体１２に対する可動筐体１３の開閉操作が行われるように構成されているものであった。
【００１４】
なお、この出願の発明に関連する先行技術文献情報としては、例えば、特許文献１が知られている。
【００１５】
【特許文献１】
特開２００２−８９５４２号公報
【００１６】
【発明が解決しようとする課題】
しかしながら、上記従来の開閉装置においては、開閉操作時の荷重を大きくしようとした場合、限られた寸法形状の範囲内で、且つ許容応力を超えない範囲でばね６の荷重を大きくするしかないため、確実な開閉操作感触や開閉位置の保持を図るために操作荷重を大きくすることが困難であるという課題があった。
【００１７】
本発明は、このような従来の課題を解決するものであり、大きな操作荷重が得られ、開閉操作感触や開閉位置の保持が確実な開閉装置を提供することを目的とする。
【００１８】
【課題を解決するための手段】
上記目的を達成するために本発明は、以下の構成を有するものである。
【００１９】
本発明の請求項１に記載の発明は、コイル状で外径の異なる複数のばねを設けると共に、外径の大きなばね内に外径の小さなばねを配置し、これら複数のばねによって、可動体または固定体を付勢するようにして開閉装置を構成したものであり、限られた寸法形状の範囲内でも大きな操作荷重が得られ、開閉操作感触や開閉位置の保持が確実な開閉装置を得ることができるという作用を有する。
【００２０】
請求項２に記載の発明は、請求項１記載の発明において、複数のばねの巻回方向を異ならせたものであり、組立時や開閉操作時のばね同士のからみや干渉を防ぎ、安定した開閉操作を行なうことができるという作用を有する。
【００２１】
【発明の実施の形態】
以下、本発明の実施の形態について、図１〜図３を用いて説明する。
【００２２】
なお、従来の技術の項で説明した構成と同一構成の部分には同一符号を付して、詳細な説明を簡略化する。
【００２３】
また、これらの図面の内、断面図は固定カムと可動カムの関係を判り易くするため、径方向を拡大して表わしている。
【００２４】
（実施の形態）
図１は本発明の一実施の形態による開閉装置の断面図、図２は同分解斜視図であり、同図において、１は左側面に固定部１Ａが形成された略円筒状で金属製の固定体で、この右側面外周には突出部２Ａ、及びこの突出部２Ａから左右へ延出する二つの傾斜部２Ｂ，２Ｃから形成された固定カム２が設けられている。
【００２５】
また、３は同じく略円筒状で金属製の可動体で、固定体１に対し開閉方向へ回転可能に配置されると共に、固定カム２との対向面である左側面外周には可動カム４が設けられている。
【００２６】
そして、１５は金属線製で反時計方向に巻回されたコイル状のばね、１６はこのばね１５より小さな外径で、ばね１５とは逆方向の時計方向に巻回されたコイル状のばねで、外径の大きなばね１５内に外径の小さなばね１６が配置され、これら複数のばね１５と１６が可動体３右側面と、略円盤状のカバー５との間にやや撓んだ状態で装着されることによって、可動カム４の先端を固定カム２の傾斜部２Ｂへ弾接させている。
【００２７】
また、７は略円柱状の固定軸で、この固定軸７の左端部に固定体１が固着されると共に、右端部は可動体３の中空部やばね１５，１６を挿通して、カバー５へ係止されている。
【００２８】
さらに、８は略円筒状の可動ケースで、この可動ケース８左端の通孔８Ａから固定体１の固定部１Ａが回転可能に突出すると共に、外周の溝部８Ｂには可動体３の突起３Ａが挿入され、可動体３が軸線方向へ移動可能に可動ケース８内に収納されている。
【００２９】
そして、可動ケース８右端の開口部をカバー５が覆い、固定体１や可動体３、ばね１５，１６等が可動ケース８内に収納されて、開閉装置２１が構成されている。
【００３０】
また、このように構成された開閉装置２１は、例えば、図３の携帯電話の斜視図に示すように、固定体１の固定部１Ａが上面に複数のキーからなる操作部１２Ａやマイクロフォン等の音声入力部１２Ｂが形成された固定筐体１２へ、可動ケース８が、表面にＬＣＤ等の表示部１３Ａやスピーカ等の音声出力部１３Ｂが形成された可動筐体１３へ各々固着され、開閉装置２１によって固定筐体１２に対して可動筐体１３が開閉可能に軸支されて電子機器が構成される。
【００３１】
以上の構成において、図１に示すように、可動カム４の先端が固定カム２下側の傾斜部２Ｂへ弾接した状態では、可動体３がばね１５及びばね１６によって下方向の閉方向へ付勢されているため、可動ケース８が固着された可動筐体１３は、固定筐体１２に対して閉じた状態で保持されている。
【００３２】
また、この閉状態から、可動筐体１３を手で開くと、可動筐体１３に固着された可動ケース８を介して可動体３が上方向へ回転し、可動カム４先端が固定カム２の突出部２Ａを超えて上側の傾斜部２Ｃへ弾接して、可動体３が上方向の開方向へ付勢されるため、可動筐体１３が開いた状態となる。
【００３３】
つまり、可動筐体１３に固着された可動ケース８を回転して、可動カム４先端を固定カム２の傾斜部２Ｂまたは２Ｃのいずれかへ弾接させ、可動体３を複数のばね１５と１６により閉または開方向へ付勢することによって、固定筐体１２に対する可動筐体１３の開閉操作が行われるように構成されている。
【００３４】
なお、この時、可動体３は複数のばね１５と１６によって付勢されているため、一つ一つのばねは限られた寸法形状の範囲内で、且つ許容応力を超えない範囲の荷重であっても、これらが加算された荷重で可動体３を付勢できるため、可動カム４を固定カム２へ大きな力で弾接させ、開閉操作感触や開閉位置の保持を確実なものとすることができる。
【００３５】
さらに、ばね１５と１６を外径だけではなく、線径や巻回数も異なるものとし、所定量撓んだ時の荷重変化、所謂ばね定数の異なるものとすれば、この組合せ方によって、所定の開閉角度で所望の操作荷重が得られる開閉装置を実現することもできる。
【００３６】
このように本実施の形態によれば、コイル状で外径の異なる複数のばね１５と１６を設けると共に、外径の大きなばね１５内に外径の小さなばね１６を配置し、これら複数のばねによって、可動体３を付勢するようにして開閉装置２１が構成されているため、限られた寸法形状の範囲内でも大きな操作荷重が得られ、開閉操作感触や開閉位置の保持が確実な開閉装置を得ることができるものである。
【００３７】
そして、複数のばね１５と１６の巻回方向を異なるものとすることによって、組立時や開閉操作時のばね同士のからみや干渉を防ぎ、開閉装置の開閉操作を安定したものとすることができる。
【００３８】
なお、以上の説明では、複数のばね１５と１６によって可動体３を付勢し、可動カム４を固定カム２へ弾接させる構成について説明したが、複数のばね１５と１６を固定体１左側面と可動ケース８右内側面との間に装着し、固定体１を付勢して固定カム２を可動カム４へ弾接させる構成としても、本発明の実施は可能である。
【００３９】
また、外径の大きなばね１５内に外径の小さなばね１６を配置した、二つのばねを用いた構成として説明したが、開閉装置がある程度大きなものである場合には、三つ或いはそれ以上の個数のばねを用い、これらのばね定数を上記したように異なるものとすれば、所定の開閉角度で様々な操作荷重を得ることもできる。
【００４０】
さらに、以上の説明では、手で可動筐体１３を開閉操作し、これに固着された可動ケース８を回転させる構成についてのみ説明したが、押釦や、可動カム４の固定カム２への弾接位置を反転させる反転カム等の部品を設け、手による開閉操作に加え、閉状態から押釦の押圧操作によって可動筐体１３を開く、所謂、ワンプッシュオープンとした構成においても、本発明の実施は可能である。
【００４１】
【発明の効果】
以上のように本発明によれば、大きな操作荷重が得られ、開閉操作感触や開閉位置の保持が確実な開閉装置を実現できるという有利な効果が得られる。
【図面の簡単な説明】
【図１】本発明の一実施の形態による開閉装置の断面図
【図２】同分解斜視図
【図３】同電子機器の斜視図
【図４】従来の開閉装置の断面図
【図５】同分解斜視図
【符号の説明】
１  固定体
１Ａ  固定部
２  固定カム
２Ａ  突出部
２Ｂ，２Ｃ  傾斜部
３  可動体
３Ａ  突起
４  可動カム
５  カバー
７  固定軸
８  可動ケース
８Ａ  通孔
８Ｂ  溝部
１２  固定筐体
１２Ａ  操作部
１２Ｂ  音声入力部
１３  可動筐体
１３Ａ  表示部
１３Ｂ  音声出力部
１５，１６  ばね
２１  開閉装置
【図１】
2004346992.tif 000003
【図２】
2004346992.tif 000004
【図３】
2004346992.tif 000005
【図４】
2004346992.tif 000006
【図５】
2004346992.tif 000007